(57)【特許請求の範囲】
【請求項１】
変圧器を内部に収納する円筒形状の変圧器ケースと、前記変圧器ケースの下部に設けられているベースとを備えた柱上変圧器において、
前記変圧器ケースは円筒形状の側面を構成する側板部と、前記側板部の下部に設けられた底面部とで構成され、
前記底面部は、前記側板部との境界である外周部と、前記底面部の最も下方に位置する下頂部と、前記外周部と前記下頂部との間の中間面とを備え、
前記中間面は、前記外周部から変圧器ケースの径方向内側に向かう水平面と、前記水平面の内周と前記下頂部との間の傾斜面とで構成され、
前記ベースは、前記変圧器ケースに対して着脱可能に構成され、
前記下頂部と前記傾斜面とで三角錐を形成することを特徴とする柱上変圧器。
【請求項２】
前記傾斜面は下頂部に近いほど下方となる形状である請求項１に記載の柱上変圧器。
【請求項３】
前記ベースは、ベース上面とベース下面とを有するリング形状であり、前記ベース上面は、前記ベースを変圧器ケースに取り付けた際に、前記中間面と接し、前記ベース下面は前記下頂部よりも下方に位置することを特徴とする請求項１ないし２に記載の柱上変圧器。
【請求項４】
前記ベース上面は、前記ベースを変圧器ケースに取り付けた際に、前記水平面と接することを特徴とする請求項３に記載の柱上変圧器。
【請求項５】
前記変圧器ケースに設けられた突起物と、
前記突起物と嵌合させることによって、前記変圧器ケースと前記ベースとを着脱自在に取り付ける機能を有し、かつ前記ベースに固定された取付部材とをさらに設けた請求項１ないし４に記載の柱上変圧器。
【請求項６】
前記取付部材は、切り欠きが設けられ、前記突起物が前記切り欠きに嵌合するように構成された請求項５に記載の柱上変圧器。
【発明の詳細な説明】
【技術分野】
【０００１】
本発明は、特に塩害地域に設置されている柱上変圧器において、底面部における錆の進行を抑えるものである。
【背景技術】
【０００２】
特許文献１には、油入電気機器用のケース１１を有底筒状に成形加工し、前記ケース１１の底面ａ２にリング状の補強座１２を装着している。（特許文献１の図１）
【０００３】
例えば、図７に示す柱上変圧器１００においても、特許文献１と同様に、円筒形状の変圧器ケース１１０を備え、変圧器ケース１１０は側板部１１１と底面部１１２とで構成され、内部に図示しない変圧器本体および絶縁油を備えている。
【０００４】
また９０が電柱であり、電柱９０に柱上変圧器１００が装柱されている。８はハンガー座であり、ハンガー座８にハンガーバンド８１を取付け、柱上変圧器１００をハンガーバンド８１でもって電柱９０に装柱している。柱上変圧器１００の底面部１１２には、図に示すようにリング状のベース１２０が溶接により取り付けられている。
【０００５】
ベース１２０は、柱上変圧器１００を地面に置く際に、底面部１１２を傷付けない役割を果たす。
【０００６】
また柱上変圧器１００は、塩害地域で装柱されることも多く、その際は、変圧器ケース１１０表面に亜鉛めっきもしくは亜鉛アルミ溶射等の防錆手段を施すことで、変圧器ケース１１０の錆の進行を抑えている。
【先行技術文献】
【特許文献】
【０００７】
【特許文献１】特開２００１−６９４４号公報
【発明の概要】
【発明が解決しようとする課題】
【０００８】
塩害地域においての柱上変圧器１００の装柱においては、塩水の蒸気や噴き上げ等により、変圧器ケース１１０に塩分が付着する。しかし、風雨の影響により、変圧器ケース１１０表面に付着した塩分は洗い流され、ある程度は自然の力によって塩分が取り除かれ、錆の進行を抑えることができる。
【０００９】
しかし、変圧器ケース１１０の底面部１１２においては、それら風雨によって塩分が取り除かれにくいという問題がある。すなわち、雨においては変圧器ケース１１０表面に付着している塩分を洗い流す効果があるが、変圧器ケース１１０の底面部１１２においては、ベース１２０によってベース１２０内部の底面部１１２が風雨の影響を受けにくく、底面部１１２の塩分を洗い流す効果は薄い。また雨や湿気の影響により底面部１１２が塩水状態で付着しやすいという問題も生じる。
【００１０】
以上から、底面部１１２においては特に塩分が自然に取り除かれる効果が薄いため、底面部１１２の錆が進行してしまい、変圧器の油漏れが発生するという問題がある。
【００１１】
本発明は、特に変圧器ケース１１０の底面部１１２において、錆の進行を抑える柱上変圧器を提供する。
【課題を解決するための手段】
【００１２】
請求項１に記載された発明は、変圧器を内部に収納する円筒形状の変圧器ケースと、変圧器ケースの下部に設けられているベースとを備えた柱上変圧器において、変圧器ケースは円筒形状の側面を構成する側板部と、側板部の下部に設けられた底面部とで構成され、底面部は、側板部との境界である外周部と、底面部の最も下方に位置する下頂部と、外周部と下頂部との間の中間面とを備え、中間面は、外周部から変圧器ケースの径方向内側に向かう水平面と、水平面の内周と下頂部との間の傾斜面とで構成され、ベースは、変圧器ケースに対して着脱可能に構成され、下頂部と傾斜面とで三角錐を形成するようにしたものである。
【００１４】
請求項２に記載された発明は、請求項１に記載された発明に加えて、傾斜面は下頂部に近いほど下方となる形状である。
【００１６】
請求項３に記載された発明は、請求項１ないし２に記載された発明に加えて、ベースは、ベース上面とベース下面とを有するリング形状であり、ベース上面は、ベースを変圧器ケースに取り付けた際に、中間面と接し、ベース下面は下頂部よりも下方に位置するようにしたものである。
【００１７】
請求項４に記載された発明は、請求項３に記載された発明に加えて、ベース上面は、ベースを変圧器ケースに取り付けた際に、水平面と接するようにしたものである。
【００１８】
請求項５に記載された発明は、請求項１ないし４に記載された発明に加えて、変圧器ケースに設けられた突起物と、突起物と嵌合させることによって、変圧器ケースとベースとを着脱自在に取り付ける機能を有し、かつベースに固定された取付部材とをさらに設けたものである。
【００１９】
請求項６に記載された発明は、請求項５に記載された発明に加えて、取付部材は、切り欠きが設けられ、突起物が切り欠きに嵌合するようにしたものである。
【発明の効果】
【００２２】
本発明によれば、雨水が変圧器ケースの側板部から底面部の中間部をつたって、下頂部で滴り落ちる構成となっているので、底面部に付着した塩分が洗い流され、底面部の錆の進行を抑えることができる。
【００２３】
さらに請求項２ないし６に記載された発明によれば、ベースを取付部材によって、着脱可能に取り付ける構成とすることで、柱上変圧器を地面に置く際は、ベースを取り付けて柱上変圧器を地面に置くことができる。さらには柱上変圧器を装柱する際はベースを取り外すことができる。
【図面の簡単な説明】
【００２４】
【図１】本発明に係る柱上変圧器の第１の実施形態の装柱状態を示すものである。
【図２】（Ａ）は本発明に係る柱上変圧器の第１の実施形態のベース取付前の正面図を示すものであり、（Ｂ）は側面図を示したものである。
【図３】（Ａ）は本発明に係る柱上変圧器の第１の実施形態のベース取付後の正面図を示すものであり、（Ｂ）は側面図を示したものである。
【図４】（Ａ）は本発明に係る柱上変圧器の第１の実施形態のベースおよび取付部材の正面図を示すものであり、（Ｂ）は側面図、（Ｃ）は上面図を示したものである。
【図５】本発明に係る柱上変圧器の第２の実施形態の装柱状態を示すものである。
【図６】本発明に係る柱上変圧器の第３の実施形態の装柱状態を示すものである。
【図７】従来の柱上変圧器の装柱状態を示すものである。
【発明を実施するための形態】
【００２５】
以下図面を参照して、本発明の好ましい実施形態を詳細に説明する。
【００２６】
＜第１の実施形態＞
図１は本発明に係る柱上変圧器の第１の実施形態の装柱状態を示すものであり、９０が電柱であり、電柱９０に柱上変圧器１が装柱されている。
【００２７】
８はハンガー座であり、ハンガー座８にハンガーバンド８１を取付け、柱上変圧器１をハンガーバンド８１でもって電柱９０に装柱している。
【００２８】
柱上変圧器１は、変圧器ケース３と、変圧器ケース３の上部を覆うようにカバー５が取付けられ、内部に図示しない変圧器を収納している。また変圧器ケース３は、側面に円筒形状の鋼板で形成された側板部３１と、同じく鋼板で形成された底面部３２より構成されている。側板部３１の外周には図に示すように放熱器４が取付けられ、柱上変圧器１の内部の熱を放熱している。これらはいずれも鋼板によって構成されている。
【００２９】
また変圧器ケース３の側面部３１の上部には、一次ブッシング６と二次ブッシング７が取付けられ、配電系統の電圧を一次ブッシング６に接続し、変圧器で電圧の変成を行い、二次ブッシング７でもって顧客へ送電している。
【００３０】
また変圧器ケース３の底面部３２は外周部３２ａと、下頂部３２ｃと、中間面３２ｂとで構成されている。
【００３１】
外周部３２ａは底面部３２と側板部３１との境界部である底面部３２の外周である。下頂部３２ｃは、柱上変圧器１を装柱の際、底面部３２が下方に向かって凸形状になっており、底面部３２の中心でかつ最も下方に位置する頂部である。
【００３２】
下頂部３２ｃと外周部３２ａの間には中間面３２ｂである面が形成されており、中間面３２ｂは水平面３２b2と傾斜面３２b1と内周部３２b3で構成されている。
【００３３】
水平面３２b2は外周部３２ａから変圧器ケース３の径方向内側に向かう平面であり、後述するベース２を取り付ける際のベース上面２１ａと、取付部材２２の載置面２２ｃとに接する面である。水平面３２b2は、外周が外周部３２ａで形成され、内周が内周部３２b3で形成された平面である。
【００３４】
傾斜面３２b1は、内周部３２b3と下頂部３２ｃとの間で形成される面であり、水平面３２b2に対し、所定の角度でもって下頂部３２ｃの下方へ向かう面である。また傾斜面３２b1は下頂部に近いほど下方となる形状となっている。
【００３５】
また下頂部３２ｃと傾斜面３２b1とで、すり鉢状の三角錐の形状で形成されている。
【００３６】
以上のような構成とすることで、塩害地域での雨の際には、雨水が変圧器ケース３の側板部３１をつたって、外周部３２ａに到達し、水平面３２b2から、傾斜面３２b1へ、さらには傾斜面３２b1から下頂部３２ｃへつたって、最終的に下頂部３２ｃでもって雨水が滴り落ちる。
【００３７】
このように雨水が底面部３２全体をつたって滴り落ちるので、底面部３２に付着した塩分は洗い流され、除去される。よって、底面部３２の錆は発生しにくくなり、底面部３２からの油漏れを防ぐことができる。
【００３８】
しかし前記示した底面部３２のすり鉢状の三角錐構造では、柱上変圧器１を地面に置けないという問題がある。そこで柱上変圧器１を地面に置く際は、後述するベース２を取り付ける。
【００３９】
また変圧器ケース３の側板部３１の下部に２カ所、直方体の同じく厚鋼板で形成された突起物３３が側板部３１から外へ向かって突出されるように、溶接により取り付けられている。突起物３３は後に説明する取付部材２２と勘合させ、ベース２１を取り付けるために設けている。
【００４０】
ベース２１を変圧器ケース３に取り付ける際の、取付前と取付後の構成、およびベース２１、取付部材２２の構成を図２ないし５を用いて説明する。
【００４１】
２１はベースであり、柱上変圧器１を地面に置く際に、底面３２を傷付けず、かつ柱上変圧器１が倒れないよう安定して地面に置くために、変圧器ケース３の底面部３２に取り付けるものである。また２２は取付部材であり、ベース２１の外周に溶接により固着され、変圧器ケース３の突起物３３に嵌合させることによって、変圧器ケース３とベース２１を着脱自在に取り付ける機能を有するものである。
【００４２】
まずはベース２１について図４でもって説明する。ベース２１は図に示すように所定の幅をもつ厚鋼板で、ベース上面２１ａとベース下面２１ｂ、及びベース外周面２１ｃと、ベース内周面２１ｄとの面を有するリング状の形状で形成されている。
【００４３】
図４に示すようにベース上面２１ａとベース下面２１ｂはそれぞれ円形の外周と内周をもった面となっている。図３に示すようにベース上面２１ａは、ベース２１を変圧器ケース３に取り付ける際は、底面部３２の水平面３２b2と接する面である。柱上変圧器１を地面に置く際は、このベース上面２１ａに柱上変圧器１の荷重がかかる。
【００４４】
またベース下面２１ｂは、柱上変圧器１を地面に置く際は、地面に接する面である。変圧器ケース３にベース２１を取り付けた際は、図３に示すようにベース下面２１ｂはベース底面３２の下頂部３２ｃよりも下方に位置する。
【００４５】
このような構成とすることで、柱上変圧器１を地面に置いた時は、底面３２を傷付けることはない。
【００４６】
またベース２１のベース外周面２１ｃは、ベース２１の外周に形成される面であり、ベース内周面２１ｄはベース２１の内周に形成される面である。ベース外周面２１ｃには後述する取付部材２２を溶接により取り付けられる。
【００４７】
次に取付部材２２について同じく図４でもって説明する。
【００４８】
取付部材２２は、嵌合板２２ａと、載置面２２ｃと、固着板２２ｂとで構成され、いずれも平板の鋼板で構成されている。取付部材２２は、ベース２１の外周部２１ｃに２カ所溶接によって取り付けられ、変圧器ケース３の突起物３３と嵌合することで、変圧器ケース３とベース２１を取り付ける役割を果たす。
【００４９】
固着板２２ｂは、平板の鋼板でベース外周面２２ｃの一部と溶接によって取り付けられており、図４（Ｃ）の紙面の上下方向を幅方向とすれば、図４に示すように固着板２２ｂの幅方向はベース外周面２１ｃに沿った形状であり、ベース外周面２１ｃと溶接によって接する。固着板２２ｂの上端は図４（Ａ）の上下方向を高さ方向とすれば、固着板２２ｂの高さは、上端がベース上面２１ａと同じ位置であり、下端はベース下面２１ｂと同じ位置である。
【００５０】
また固着板２２ｂの上端から固着板２２ｂの幅方向で、かつベース外周面２２ｃと反対側に張り出した、平板の鋼板である載置面２２ｃが形成されている。載置面２２ｃとベース上面２１ａとで一つの平面が形成され、かつ、変圧器ケース３にベース２１を取り付ける際は、載置面２２ｃとベース上面２１ａとで形成される平面が、底面部３２の水平面３２b2と接する。載置面２２ｂの幅は、固着板２２ｂと同じであり、また図４（Ｃ）に示す左右方向を高さ方向とすれば、載置面２２ｂの高さは、ベース２１を変圧器ケース３に取り付けた際に、後述する嵌合板２２ａが変圧器ケース３の外周に沿うように接することができるような高さに設定される。
【００５１】
また載置面２２ｃのベース外周面２１ｃの反対側の端部から図４（Ａ）の上方に向かって、嵌合板２２ａが設けられている。嵌合板２２ａは平板の鋼板で構成され、変圧器ケース３にベース２１を取り付けた際は、変圧器ケース３の突起物３３と嵌合する。さらに嵌合板２２ａの幅方向は変圧器ケース３の側板部３１に沿った形状で、変圧器ケース３の表面の一部と接する。
【００５２】
また嵌合板２２ａには切り欠き２３が設けられている。切り欠き２３は、変圧器ケース３の突起物３３と嵌合させるために設けられている。
【００５３】
切り欠き２３は、図４（Ｂ）に示すように嵌合板２２ａの上端から所定の長さの下方に向かって第１の切り欠き２３ａが設けられている。第１の切り欠き２３ａの下端から所定の長さの幅方向へ第２の切り欠き２３ｂが設けられ、第２の切り欠き２３ｂの端部（第１の切り欠き２３ａの反対側）から所定の長さの下方へ第３の切り欠き２３ｃが設けられている。
【００５４】
同じく、第３の切り欠き２３ｃの下端部から所定の長さの幅方向へ第１の切り欠き２３ａ方向へ向かう第４の切り欠き２３ｄが設けられ、さらに第４に切り欠き２３ｄの端部（第３に切り欠き２３ｃの反対側）から下方に向かって所定の長さの第５の切り欠き２３ｅが設けられる。
【００５５】
さらに第５の切り欠き２３ｅの下端部から所定の長さの幅方向へ第３の切り欠き２３ｃ方向へ向かう第６の切り欠き２３ｆが設けられている。
【００５６】
以上のように第２ないし第６の切り欠きでもって、Ｓ字状に切り欠き２３が設けられている。
【００５７】
以上のように、変圧器ケース３にベース２１を嵌合させる際には、変圧器ケース３の突起物３３を取付部材２３の第１の切り欠き２３ａに通し、次いで第２の切り欠き２３ｂから第３の切り欠き２３ｃ、第４の切り欠き２３ｄ、第５の切り欠き２３ｅ、第６の切り欠き２３ｆを通すことで、ベース２１を変圧器ケース３に嵌合させ、図３に示すようにベース２１を取り付けることができる。
【００５８】
しかも切り欠き２３をＳ字状に設けているので、変圧器ケース３とベース２１が容易に外れることはなく、柱上変圧器１を単にベースに載せるだけでなく、移動させることもできる。
【００５９】
＜第２の実施形態＞
図５において、底面部３２の中間部３２ｂの傾斜部３２b1以外は第１の実施形態と同じ構成である。
【００６０】
図５に示すように、第２の実施形態の傾斜部３２b4は、丸みを帯びた形状となっている。このような構成とすることで、変圧器ケース３の製作過程で底面部３２を金型を用いて押し当てて成型することができるので、製作が容易である。また、雨水も実施形態１と同じく、底面部３２をつたって、下頂部３２ｃで滴り落ちるので、塩分を洗い流すことができる。
【００６１】
＜第３の実施形態＞
図６において、底面部３２の下頂部３２ｃ以外は第２の実施形態と同じ構成である。
【００６２】
図６に示すように、第３の実施形態の下頂部３２c1は、変圧器ケース３の径方向で形成される面と平行な面で形成されている。このような構成とすることで、第２の実施形態と同じく底面部３２の塩分を洗い流すことができるのはもちろんのこと、図示しない変圧器ケース３の内部の変圧器本体の鉄心を、下頂部３２c1に載せることで、変圧器本体を安定して変圧器ケース３内部に配置することができる。
【００６３】
なお上記の実施形態では、変圧器ケース３に突起物３３、および変圧器ケース３とベース２１を取り付ける際の取付部材２２を設けているが、これらが無く、単に変圧器ケース３をベース２１に載せるだけでも良い。
【００６４】
また、上記の実施形態では取付部材２２を設けているが、ベース２１に切り欠きを設けて、変圧器ケース３の突起物３３でもってベース２１を直接取り付けても良い。
【符号の説明】
【００６５】
１             柱上変圧器
３             変圧器ケース
２１           ベース
２１ａ         ベース上面
２１ｂ         ベース下面
２２           取付部材
２３           切り欠き
３１           側板部
３２           底面部
３２ａ         外周部
３２ｂ         中間面
３２b1         傾斜面
３２b2         水平面
３２b4         傾斜面
３２ｃ         下頂部
３２c1         下頂部
３３           突起物
【図１】
0005813350.tif 000002
【図２】
0005813350.tif 000003
【図３】
0005813350.tif 000004
【図４】
0005813350.tif 000005
【図５】
0005813350.tif 000006
【図６】
0005813350.tif 000007
【図７】
0005813350.tif 000008